(57)【要約】ヘッドバンドの付いたヘッドセットは、雄型または雌型プラグが中に配置された、少なくとも１つのカップを具備する。カップはスピーカまたはマイクロフォンアームの付いたスピーカの装着を目的とし、前記スピーカまたはマイクロフォンアームの付いたスピーカは、カップの中の雄型または雌型プラグに接続されるべく、適合する雄型または雌型プラグをさらに備える。ヘッドセットのヘッドバンドは、ワイヤがヘッドセットの１つの側から他の側に通るよう中空である。これにより、ヘッドセットのスピーカおよび／またはマイクロフォンアームの付いたスピーカは、ヘッドセット全体を廃棄する必要なく、簡単に取替えられる。このように、ヘッドセットを技術上および外観上の理由で、容易にアップグレードすることが可能である。１つの実施例では、ヘッドセットは１つの側にカップが設けられ、他の側に、ユーザの頭部に対して支持部を構成するＴ部材が設けられる。
2005530436.tif 000002
【特許請求の範囲】
【請求項１】
ヘッドセット（１）であって、スピーカ（４）の接続のために雄型（６）または雌型電気プラグをヘッドバンドの少なくとも１つの端部に設けたヘッドバンド（２）を備え、雄型または雌型プラグは、ヘッドセットのスピーカ（４）を受け入れるためにヘッドセット（１）に設けられたカップ（５）の中に配置される、ヘッドセット。
【請求項２】
マイクロフォンアーム（９）はスピーカ（４）に装着された、請求項１に記載のヘッドセット。
【請求項３】
雄型または雌型電気プラグは、スピーカ内またはマイクロフォンアーム（９）の付いたスピーカ内に設けらている、請求項２に記載のヘッドセット。
【請求項４】
ヘッドバンドは中空であって、ヘッドバンド（２）の雄型または雌型プラグの１つの端部とヘッドバンドの反対の端部の雄型または雌型プラグとを接続する電気ワイヤがヘッドバンドの中を通る、請求項１から３のいずれかに記載のヘッドセット。
【請求項５】
ヘッドバンドの１つの端部は支持部材（１６）によって終端する、請求項１から３のいずれかに記載のヘッドセット。
【請求項６】
スピーカ（４）またはマイクロフォンアームの付いたスピーカはカップの寸法に対応する寸法を有するケーシング（１１）に組込まれる、請求項２から５のいずれかに記載のヘッドセット。
【発明の詳細な説明】
【技術分野】
【０００１】
本発明は、ヘッドバンドの少なくとも一方の端部に、スピーカの接続のための雄型または雌型電気プラグを設けたヘッドバンドを備えた、ヘッドセットに関する。
【背景技術】
【０００２】
この型のヘッドセットについては多数の構造が既知であり、たとえばＷＯ  ００／３９９８３に記載されたヘッドセットがある。
【０００３】
このようなヘッドセットはしばしば固定電話装置に接続され、それにより、ユーザが手で電話装置を操作する必要なく、会話を行なうことができる。ヘッドセットは有線またはブルートゥース型の無線接続を介して電話装置に接続されてもよい。
【０００４】
ヘッドセットの利用の増加につれて、古典的な電話装置、交換機などとの接続だけでなく、さらに携帯電話との接続においても、ヘッドセットがよりよい音質を得るよう技術が向上している。さらに例えばマイクロフォンアームとスピーカ部分との間の結合機構に関連して、ヘッドセットの機械的構造が向上している。最後に、ヘッドセットの選択には、特にマイクロフォンアーム自体のデザインに関して、デザインが重要な役割を果たす。
【発明の開示】
【発明が解決しようとする課題】
【０００５】
新しい技術および／またはデザインの発展に伴い、ヘッドセット全体が取替えられるのが通常である。これは、交換されたヘッドセットが、新品と取替えられるのだが、ヘッドセットの両側の間にしばしば同じヘッドバンドと電気接続とを有している事実に鑑みて、著しく資源を要し、かつあまり環境に優しいとはいえない。
【０００６】
最後に、ＧＢ  ２  ３０９  ３５１  Ａ１は、ヘッドバンドとスピーカとに雄型および雌型プラグを介した接触接続があるヘッドセットを開示している。
【０００７】
したがって、本発明の目的は、技術面でもデザイン面でも容易にアップグレードができるが、最も必要な部品のみを取替えればよいヘッドセットを提供することである。
【課題を解決するための手段】
【０００８】
本発明の目的は請求項１の導入部分に定義される型のヘッドセットにより達成されるが、請求項１は、ヘッドセットのスピーカを受け入れるためにヘッドセットに設けられたカップの中に、雄型または雌型プラグが配置されることを特徴とする。
【０００９】
ここで、ワイヤおよびカップが付いたヘッドセットのスピーカ、もしくはマイクロフォンアームの付いたスピーカ、機械部品および／またはデザインをアップグレードする場合、ヘッドバンドを再使用することが可能である。さらに、スピーカまたはマイクロフォンアームの付いたスピーカを取替えることにより、同じヘッドセットを多様な目的に適合させることが簡単にできるが、これは、ヘッドセットが、あるときは会話をする目的で、他のときは音楽を聞くために使われるといった場合に有用である。
【００１０】
有利なことに、本発明は、請求項２に記載するようにマイクロフォンアームがスピーカに装着されている場合、アップグレード時の用途がさらに有用となる。
【００１１】
請求項３に記載するように、雄型または雌型電気プラグがスピーカまたはマイクロフォ
ンアームの付いたスピーカに設けられると、スピーカおよび／またはマイクロフォンアームの付いたスピーカを迅速に取替えることができる。なぜなら部品は通常の雄型または雌型プラグと同様に単に組立および分解されるからである。
【００１２】
さらに柔軟性を向上させるため、請求項４に記載するように、ヘッドセットが中空で、その中を、ヘッドバンドの雄型または雌型プラグの１つの端部と、ヘッドバンドの反対の端部の雄型または雌型プラグとを接続するワイヤが通っていれば、ヘッドセットは常に両側にスピーカを有するのに適するので、有利である。
【００１３】
さらに有利な本発明の実施例が、請求項５および請求項６に定義される。
【発明を実施するための最良の形態】
【００１４】
本発明は、図面に関連してさらに完全に説明される。
【００１５】
図１では、本発明によるヘッドセットは総称的に１と表示されている。ここで示すように、ヘッドセットは、ユーザの頭部にヘッドセットを適合させるための調節機構３により調節されるヘッドバンド２を含む。スピーカ４がヘッドバンドの１つの端部に装着され、ヘッドバンドの他の端部にはカップ５が、プラグ接続部７を有する雄型プラグ６とともに装着される。なお、雄型プラグの代わりに雌型プラグが設けられてもよい。
【００１６】
カップ５は、図２および図３で示す、マイクロフォンアーム９およびマイクロフォン８を有するスピーカ１５を受け入れることを目的とする。
【００１７】
図２に示すように、マイクロフォンは結合機構１０によってスピーカに接続されており、それによりマイクロフォンアーム１０を多様な方向に操作することが可能となる。
【００１８】
図１に示すように、スピーカは、カップ５と形状寸法が嵌合する外部形状を有するケーシング１１に配置される。
【００１９】
図２はさらに、ボタン１２が、ヘッドセットの音を調節するために、信号ダイオード１３と共にケーシング１１に設けられることを示す。
【００２０】
図３に示すように、ケーシングは、図１に示す雄型プラグ６に嵌合する雌型プラグ１４を有する。
【００２１】
図４および図５は図１のヘッドセットをさらに示すが、図２および図３のスピーカの付いたマイクロフォンが装着された状態を示す。この装着は雌型プラグが付いたケーシングをカップ５の中に移動させることによる簡単な態様で行なわれるが、そこで雄型プラグと雌型プラグとが互いに接続される。
【００２２】
ヘッドバンド２は、ワイヤ（図示されていない）がスピーカ４まで中を通るよう、中空である。
【００２３】
図６は、本発明の他の実施例を、図１の実施例に対応して示すが、Ｔ部材１６がスピーカ４の代わりにヘッドセットの１つの側に装着されており、前記Ｔ部材はユーザの頭部に対して支持体として機能する。
【００２４】
図７および図８は、図６のヘッドセットを示すが、図４および図５の実施例と同じ態様で、スピーカと、マイクロフォンアーム９の付いたマイクロフォン８とが装着された状態を示す。
【図面の簡単な説明】
【００２５】
【図１】本発明による、スピーカおよびカップの付いたヘッドセットを示す図である。
【図２】図１のヘッドセットに装着される、マイクロフォンアームの付いたスピーカを示す図である。
【図３】図２のマイクロフォンアームの付いたスピーカを他の側面から見た図である。
【図４】図１および図２と比較して、スピーカおよびマイクロフォンアームが装着された、図１のヘッドセットを示す図である。
【図５】図４のヘッドセットを他の側面から見た図である。
【図６】図１に示すヘッドセットの他の実施例を示す図である。
【図７】マイクロフォンアームの付いたスピーカが装着された、図６のヘッドセットを示す図である。
【図８】図８は、図７のヘッドセットを他の側面から見た図である。
【図１】
2005530436.tif 000003
【図２】
2005530436.tif 000004
【図３】
2005530436.tif 000005
【図４】
2005530436.tif 000006
【図５】
2005530436.tif 000007
【図６】
2005530436.tif 000008
【図７】
2005530436.tif 000009
【図８】
2005530436.tif 000010
【国際調査報告】
2005530436.tif 000011
2005530436.tif 000012